(57)【特許請求の範囲】
【請求項１】
照度を変更可能な光源部と、
前記光源部の点灯、消灯、調光を行う制御部と、を備え、
設定した起床時刻の所定時間前である覚醒動作開始時刻になると、前記制御部が、前記光源部を点灯させるとともに前記光源部の照度を低照度から高照度に変化させる覚醒動作を前記光源部に行わせる、照明装置であって、
前記光源部は、照度を変更可能な主光源と、前記主光源の照度域より低い照度域の光を出力可能な補助光源とを含み、
前記制御部は、
前記覚醒動作開始時刻になると、前記光源部の点灯状態を判別し、前記光源部が点灯している場合は前記光源部を消灯させ、前記主光源の照度域より低い照度域の照度で前記補助光源を点灯させ、
前記補助光源を点灯させた後に前記主光源を点灯させ、
前記主光源の照度を時間の経過とともに徐々に増大させる、ことを特徴とする照明装置。
【請求項２】
照度を変更可能な光源部と、
前記光源部の点灯、消灯、調光を行う制御部と、を備え、
設定した起床時刻の所定時間前である覚醒動作開始時刻になると、前記制御部が、前記光源部を点灯させるとともに前記光源部の照度を低照度から高照度に変化させる覚醒動作を前記光源部に行わせる、照明装置であって、
前記制御部は、前記覚醒動作中に第１信号が入力されると、前記光源部を信号待ち動作に移行させ、
前記信号待ち動作に移行してから予め設定された時間内に第２信号が入力されなかった場合、前記光源部の前記信号待ち動作を終了させて、前記覚醒動作に復帰させ、
前記信号待ち動作に移行してから予め設定された時間内に前記第２信号が入力された場合、前記光源部の前記信号待ち動作を終了させて、第２信号に従う動作を行わせることを特徴とする照明装置。
【請求項３】
前記光源部は、照度を変更可能な主光源と、前記主光源の照度域よりも低い照度域の光を出力可能な補助光源とを含み、
前記光源部の信号待ち動作は、前記主光源の照度域より低い照度域の照度で前記補助光源を点灯させる動作である、ことを特徴とする請求項２に記載の照明装置。
【請求項４】
前記制御部は、前記光源部の前記信号待ち動作を終了させて前記覚醒動作に復帰させる際、前記光源部の照度は前記覚醒動作を継続していた場合の照度とする、請求項２に記載の照明装置。
【発明の詳細な説明】
【技術分野】
【０００１】
本発明は、就寝者を覚醒させるための機能を備えた照明装置に関する。
【背景技術】
【０００２】
従来、就寝者を覚醒させるための機能を備えた照明装置が公知となっている。例えば、特許文献１においては、設定した起床時刻の所定時間前から、光の照度を低照度、中照度、高照度の順に連続的に変化させることで、就寝者を覚醒状態に導く覚醒動作を行う照明装置が開示されている。
【先行技術文献】
【特許文献】
【０００３】
【特許文献１】特許第３７６７３１９号公報
【発明の概要】
【発明が解決しようとする課題】
【０００４】
しかし、覚醒動作を起動する覚醒動作開始時の低照度であっても、就寝者が眩しく感じることがあり、快適な覚醒を阻害する恐れがあった。
【０００５】
また、覚醒動作中は、就寝者が寝ぼけて誤操作してしまい、何らかの信号を発信してしまうことがある。このような場合に、照度の連続的な変化が中断されて、例えば光の照度が高照度にいきなり変化してしまい、快適な覚醒を阻害する恐れがあった。
【課題を解決するための手段】
【０００６】
本発明の解決しようとする課題は以上の如くであり、次にこの課題を解決するための手段を説明する。
【０００７】
即ち、第１の発明においては、照度を変更可能な光源部と、前記光源部の点灯、消灯、調光を行う制御部と、を備え、設定した起床時刻の所定時間前である覚醒動作開始時刻になると、前記制御部が、前記光源部を点灯させるとともに前記光源部の照度を低照度から高照度に変化させる覚醒動作を前記光源部に行わせる、照明装置であって、前記制御部は、前記覚醒動作開始時刻になると、前記光源部の点灯状態を判別し、前記光源部が点灯している場合は前記光源部を消灯させ、前記主光源の照度域より低い照度域の照度で前記補助光源を点灯させ、前記補助光源を点灯させた後に前記主光源を点灯させ、前記主光源の照度を時間の経過とともに徐々に増大させるものである。
【０００８】
第２の発明においては、照度を変更可能な光源部と、前記光源部の点灯、消灯、調光を行う制御部と、を備え、設定した起床時刻の所定時間前である覚醒動作開始時刻になると、前記制御部が、前記光源部を点灯させるとともに前記光源部の照度を低照度から高照度に変化させる覚醒動作を前記光源部に行わせる、照明装置であって、前記制御部は、前記覚醒動作中に第１信号が入力されると、前記光源部を信号待ち動作に移行させ、前記信号待ち動作に移行してから予め設定された時間内に第２信号が入力されなかった場合、前記光源部の前記信号待ち動作を終了させて、前記覚醒動作に復帰させ、前記信号待ち動作に移行してから予め設定された時間内に前記第２信号が入力された場合、前記光源部の前記信号待ち動作を終了させて、第２信号に従う動作を行わせるものである。
【０００９】
第３の発明においては、前記光源部は、照度を変更可能な主光源と、前記主光源の照度域よりも低い照度域の光を出力可能な補助光源とを含み、前記光源部の信号待ち動作は、前記主光源の照度域より低い照度域の照度で前記補助光源を点灯させる動作であるものである。
【００１０】
第４の発明においては、前記制御部は、前記覚醒動作開始時刻になると前記光源部の点灯状態を判別し、前記光源部が点灯している場合は前記光源部を消灯させるものである。
【発明の効果】
【００１１】
本発明の効果として、以下に示すような効果を奏する。
【００１２】
第１の発明においては、主光源の照度域より低い照度域の光を出力可能な補助光源を覚醒動作開始時に点灯することで、就寝者は覚醒動作開始時に眩しく感じることがなく、その後、徐々に明るくなる光によって、就寝者に快適な覚醒を促すことが出来る。
また、覚醒動作開始時刻において光源部が点灯している場合は光源部を消灯させるため、中照度から覚醒動作が始まることがない。
【００１３】
第２の発明においては、覚醒動作中に第１信号が入力されると、光源部は信号待ち動作に移行するが、信号待ち動作に移行してから予め設定された時間内に第２信号が入力されなかった場合、光源部の信号待ち動作を終了させて、覚醒動作に復帰させる。このため、覚醒動作中に寝ぼけて誤操作がなされ、信号待ち動作が開始されても、覚醒動作に復帰させることが出来る。従って、覚醒動作中の誤操作により、光源の照度がいきなり高照度となってしまうような、快適な覚醒を阻害する動作を防止することが出来る。
また、信号待ち動作に移行してから予め設定された時間内に第２信号が入力された場合、光源部の信号待ち動作を終了させて、第２信号に従う動作を行わせる。このため、覚醒動作中に、意図的に他の動作に切り換えたい場合には、第２信号を入力することにより、覚醒動作から所望の動作に切り替えることが出来る。
【００１４】
第３の発明においては、光源部の信号待ち動作は、主光源の照度域より低い照度域の照度で補助光源を点灯させる動作であるため、覚醒動作から信号待ち動作に移行したことを明確にすることができる。
【００１５】
第４の発明においては、光源部の信号待ち動作を終了させて覚醒動作に復帰させる際、光源部の照度は覚醒動作を継続していた場合の照度とする。覚醒動作が信号待ち動作に移行したか否かに関わり無く、光源部の照度が決定されるので、光源部の照度を容易に決定することが出来る。
【図面の簡単な説明】
【００１６】
【図１】本発明の実施形態を示すブロック図。
【図２】第１の実施形態の覚醒動作のフローチャート。
【図３】第１の実施形態の消灯状態からの覚醒動作を示す動作説明図。（ａ）は主光源の動作説明図、（ｂ）は補助光源の動作説明図。
【図４】第１の実施形態の点灯状態からの覚醒動作を示す動作説明図。（ａ）は主光源の動作説明図、（ｂ）は補助光源の動作説明図。
【図５】第２の実施形態の覚醒動作のフローチャート。
【図６】第２の実施形態の覚醒動作時に、第１信号を受信した場合の動作を示す動作説明図。（ａ）は主光源の動作説明図、（ｂ）は補助光源の動作説明図。
【図７】第２の実施形態の覚醒動作時に、第２信号を受信した場合の動作を示す動作説明図。（ａ）は主光源の動作説明図、（ｂ）は補助光源の動作説明図。
【図８】第２の実施形態の覚醒動作時に、第１信号を受信した場合の動作の他例を示す動作説明図。（ａ）は主光源の動作説明図、（ｂ）は補助光源の動作説明図。
【発明を実施するための形態】
【００１７】
次に、本発明の第１の実施形態を説明する。
図１に示すように、本発明に係る照明装置１は、照明装置本体１０とリモコン２０とから構成されている。
照明装置本体１０は、主光源１５１と補助光源１５２とで構成される光源部１５と、主光源１５１に供給する電力量を可変とするための主光源点灯装置１３と、補助光源１５２に供給する電力量を可変とするための補助光源点灯装置１４と、光源部１５への供給電力量を調整するための負荷信号を主光源点灯装置１３及び補助光源点灯装置１４に出力して、光源部１５の点灯、消灯及び調光を行う制御部１１と、制御部１１に調光信号等の信号を出力するリモコン受信部１２とを具備する。
リモコン２０は、リモコン受信部１２にリモコン信号を送信するものであり、光源部１５の各光源を点灯・消灯する、又は光源部の各光源の照度を変更（調光）するスイッチや、起床時刻を設定するスイッチ等を備えている。
【００１８】
本実施形態においては、主光源１５１として蛍光灯を用い、補助光源１５２としてＬＥＤを用いる。しかし、主光源１５１及び補助光源１５２は、これに限らずどのような光源を用いてもよく、例えば、補助光源１５２として白熱灯を用いてもよく、あるいは、主光源１５１としてＬＥＤを用いてもよい。
尚、補助光源１５２は、就寝中に点灯していても、眩しく感じない程度の低照度を照度域とするものである。
【００１９】
主光源点灯装置１３は、例えば主光源１５１が蛍光灯であればインバータ回路で構成され、図示しない交流電源と接続されて、その発信周波数を調整することで主光源１５１への供給電力量を可変として主光源１５１の調光を行うものである。
また、補助光源点灯装置１４は、例えば補助光源１５２がＬＥＤであれば、交流電源の電圧を位相制御することで、補助光源１５２への供給電力量を可変として補助光源１５２の調光を行う。
【００２０】
制御部１１は、照明装置１が通常の部屋照明として用いられる場合には、リモコン２０から送信される消灯、点灯、調光等の信号に応じて、主光源１５１及び補助光源１５２を制御する信号を、主光源点灯装置１３及び補助光源点灯装置１４に出力する。
【００２１】
また、照明装置１に覚醒動作を行わせる場合には、制御部１１は、制御部１１内のタイマ１１４によって計時される時間に基づいて操作者が予め入力して設定した起床時刻よりも所定時間前からＲＯＭ１１２に予め記憶されたパターンに基づいて主光源１５１の照度を徐々に増加するように制御する。
光源部１５の照度が徐々に増加するパターン（覚醒動作）については後に詳述する。
【００２２】
リモコン受信部１２によって受信されるリモコン２０からの種々の信号は、制御部１１のＣＰＵ１１１に入力され、ＣＰＵ１１１は、入力された信号に応じて主光源点灯装置１３及び補助光源点灯装置１４を制御する。例えば、リモコン２０から主光源１５１を点灯する信号が送信された場合には、ＣＰＵ１１１は、主光源点灯装置１３に信号を出力して主光源１５１を点灯させる。リモコン２０から主光源１５１、補助光源１５２の点灯、消灯、調光等の信号が送信された場合には、ＣＰＵ１１１は、主光源点灯装置１３及び補助光源点灯装置１４へ点灯、消灯、調光等の信号を出力する。
【００２３】
また、照明装置１に覚醒動作を行わせる場合において、操作者がリモコン２０を操作することによって入力する起床時刻等の情報は、リモコン２０からの信号としてリモコン受信部１２によって受信され、リモコン受信部１２から制御部１１へ送信され、制御部１１内のＲＡＭ１１３に記憶される。例えば、操作者の操作によってリモコン２０から起床時刻情報（例えば、午前７時）が送信された場合には、起床時刻情報をＲＡＭ１１３に記憶すると共に、ＣＰＵ１１１は起床時刻情報に応じて、光源部１５の点灯、消灯及び調光を行う。
【００２４】
次に、覚醒動作（光源部１５の照度が徐々に増加するパターン）を、図２に示すフローチャート及び、図３、図４の動作説明図を参照して説明する。
覚醒動作は、起床時刻ｔ４の所定時間前ｔ１から、光源部１５を点灯させ、覚醒動作終了時刻ｔ３まで、照度を低照度、中照度、高照度の順に、連続的に増大させて、就寝者を覚醒に導く動作である。覚醒動作時における、主光源１５１の点灯開始時刻ｔ２の照度を最低照度Ｌ２２とし、主光源１５１の照度を最も増大させた際の照度を、最高照度Ｌ２３とする。また、覚醒動作時における、補助光源１５２の点灯開始時刻ｔ１の照度を最低照度Ｌ１１とし、補助光源１５２の照度を最も増大させた際の照度を、Ｌ１２とする。
【００２５】
就寝前などに、リモコン２０で起床時刻ｔ４をセットして、照明装置本体１０側に覚醒動作を予約する信号を送信する（ステップＳ１０１）。リモコン受信部１２が信号を受信し、制御部１１は、起床時刻ｔ４より所定時間前（本実施形態では３０分前とする）を覚醒動作開始時刻ｔ１として記憶する。制御部１１が、タイマ１１４により覚醒動作開始時刻ｔ１になると（ステップＳ１０２でＹｅｓ）、覚醒動作を開始させる。なお、覚醒動作開始時刻ｔ１と起床時刻ｔ４との間隔は、所望の時間に設定出来るものである。
【００２６】
尚、覚醒動作開始時刻ｔ１になると、制御部１１は、光源部１５が点灯しているか否かを判別し、光源部１５の光源が点灯していれば（ステップＳ１０３でＹｅｓ）、光源部１５を全て消灯させる（ステップＳ１０４）。例えば、主光源１５１が点灯していた場合には、図４に示すように、主光源１５１を消灯させる。よって、例えば、就寝時に誤って主光源１５１を消し忘れた場合や、補助光源１５２を点灯したまま就寝していた場合にも、覚醒動作に入ると、全ての光源は一旦消灯されることとなる。
【００２７】
よって、主光源１５１が中照度に点灯されていた状態で、覚醒動作開始時刻ｔ１になった場合にも、中照度から覚醒動作が始まることはない。図３に示すように、光源部１５が全て消灯していた状態で、覚醒動作開始時刻ｔ１になった場合であれば光源部１５が全て消灯された状態から、そのまま覚醒動作が開始される。
【００２８】
そして、覚醒動作が開始される（ステップＳ１０５）と、図３ｂに示すように、まず、補助光源１５２が点灯し（ステップＳ１０６）、補助光源１５２の照度は、時間の経過とともに、徐々に増大していく（ステップＳ１０７）。この際、補助光源１５２の照度は、点灯開始時刻ｔ１からの経過時間に対して決定される。このようにして、消灯状態から、補助光源１５２が点灯することで、覚醒動作が開始する。なお、補助光源１５２の照度は、就寝中に点灯していても、眩しく感じない程度の低照度を照度域とするものである。点灯開始時刻ｔ１において、補助光源１５２は、主光源１５１の最低照度Ｌ２２よりも低い照度Ｌ１１で点灯を開始する。補助光源１５２の点灯を終了直前の、照度を最も増大させた際の最高照度Ｌ１２は、主光源１５１の最低照度Ｌ２２より低照度であっても高照度であっても良い。また、本実施形態では、補助光源１５２の照度は徐々に増大するものとしたが、時刻ｔ１から時刻ｔ２まで点灯される補助光源１５２の照度は、点灯されてから消灯されるまで一定であっても良い。時刻ｔ２は、補助光源１５２の点灯から、主光源１５１の点灯に切り替えられる時刻である。
【００２９】
また、補助光源１５２の点灯時間は、就寝者が眩しく感じることがない程度に、就寝者が明るさに慣れるまでの間、点灯されるものであればよく、ｔ１からｔ２までの間隔は、覚醒動作の開始から終了までの時間に比べて、短い時間に設定されるものである。その長さは、覚醒動作を行う全体の時間にもよるが、１０秒から数分程度の時間であって、例えば９０秒程度とし、就寝者が明るさに慣れるまでの時間を、適宜設定することとする。
【００３０】
そして、制御部１１は、補助光源１５２の照度が最高照度Ｌ１２となる時刻ｔ２になると（ステップＳ１０８でＹｅｓ）、図３ｂに示すように、補助光源１５２は消灯され（ステップＳ１０９）、補助光源１５２の消灯に続いて、図３ａに示すように、主光源１５１が点灯される（ステップＳ１１０）。主光源１５１の照度は、時間の経過とともに、徐々に増大していく（ステップＳ１１１）。主光源１５１は、点灯開始時刻ｔ２からの経過時間に対して、照度が決定されて点灯される。尚、本実施形態では、主光源１５１は補助光源１５２が消灯されてから点灯することとしたが、主光源１５１が点灯されるのは、必ずしも、補助光源１５２消灯後でなくてもよく、補助光源１５２を点灯させたまま、主光源１５１を点灯させても良い。また、補助光源１５２の消灯と、主光源１５１の点灯は同時であっても良い。
【００３１】
そして、主光源１５１は最低照度Ｌ２２から徐々に照度を上げていき、起床時刻ｔ４の所定時間前（本実施形態では１分前とする）の時刻ｔ３になり（ステップＳ１１２でＹｅｓ）、主光源１５１が最高照度Ｌ２３に達すると、主光源１５１の照度は最高照度Ｌ２３に維持され、覚醒動作は終了する（ステップＳ１１３）。すなわち光源部１５は、覚醒動作開始時刻ｔ１から、起床時刻ｔ４の１分前であって、覚醒動作が終了する時刻ｔ３まで、２９分間かけて、徐々に照度を上げていくため、就寝者は深い睡眠状態から、浅い睡眠状態へと導かれる。
【００３２】
続いて、第２の実施形態について説明する。上記のような覚醒動作中に、リモコン２０の操作によって、自由に点灯、消灯、調光出来るようにすると、就寝者が寝ぼけて誤操作して、照度が急激に増大してしまい、快適な睡眠が阻害されることがある。第２の実施形態では、覚醒動作中のリモコン２０の誤操作によって、照度が急激に増大することを防止している。以下、この動作について、図５に示したフローチャート及び、図６、図７、図８の動作説明図を参照して説明する。
【００３３】
図５に示すように、覚醒動作が開始される時刻ｔ１であることが検出されると（ステップＳ２０１でＹｅｓ）、覚醒動作が開始される（ステップＳ２０２）。主光源１５１が点灯した後の時刻ｔ５に、リモコン２０の、光源部１５の光源を点灯・消灯するスイッチや、光源の照度を変更（調光）するスイッチ等、なんらかのスイッチが操作者によって操作されると、操作されたスイッチに対応する信号（光源を点灯・消灯、照度の変更（調光）等の情報）が第１信号として、制御部１１にリモコン受信部１２を介して入力される（ステップＳ２０３）。
【００３４】
制御部１１に第１信号が入力されたことが検出されると（ステップＳ２０３でＹｅｓ）、第１信号がどのような情報の信号であったかに関わらず、制御部１１は、光源部１５を信号待ち動作に移行させる（ステップＳ２０４）。
【００３５】
ここで信号待ち動作とは、第１信号の入力があった場合に、第１信号がどのような情報の信号であったかに関わらず、光源部１５に行わせる、予め設定されたある一定の動作をいう。つまり、覚醒動作中は、なんらかの信号（第１信号）の入力があった場合に、光源部１５を一時的に信号待ち動作に移行させることとし、光源部１５が即座にその信号に従う動作を行わないようにしている。本実施形態では、図６に示すように、信号待ち動作は、主光源１５１を消灯させて、補助光源１５２を覚醒動作開始時以前に設定された照度Ｌ１１で点灯させることとする。よって、例えば、操作者の誤操作によって、全灯スイッチや照度増大スイッチを押してしまった場合にも、急激に照度が増大することがなく、照度は低減し、快適な覚醒が阻害されることがない。
【００３６】
一方、ステップＳ２０３で、第１信号が入力されたことが検出されず（ステップ２０３でＮｏ）、覚醒動作が終了する時刻ｔ３となったことが検出された場合には（ステップＳ２１０でＹｅｓ）、覚醒動作を終了し（ステップＳ２１１）、覚醒動作終了時の点灯状態が維持される（ステップＳ２１２）。
【００３７】
そして、光源部１５を信号待ち動作に移行させてから、予め設定された時間である規定時間ｈ、すなわち、第１信号が入力された時刻ｔ５から時刻ｔ６までの時間を信号待ち動作を継続させる最長時間とし（本実施形態では９０秒間とする）、規定時間ｈが経過したことを検出すると（ステップＳ２０５でＹｅｓ）、第１信号は、操作者によるリモコンの誤操作等であるとして、図６に示すように、規定時間ｈ経過後の時刻ｔ６に、補助光源１５２は消灯され、再び主光源１５１が点灯されて、覚醒動作に復帰する（ステップＳ２０６）。
【００３８】
覚醒動作に復帰した際の主光源１５１の照度は、図６に示すように、覚醒動作が第１信号によって信号待ち動作に移行したｔ５における照度Ｌ２５ではなく、覚醒動作がｔ２からｔ６まで継続していた場合の照度Ｌ２６とする。このような制御の一例として、例えば、制御部１１に主光源１５１の点灯開始時刻ｔ２からの経過時間カウントさせるとともに、主光源１５１の点灯開始時刻ｔ２からの経過時間に対応する照度を記憶させる。信号待ち動作から覚醒動作に復帰すると、ｔ６に対応する照度Ｌ２６を参照して、主光源１５１を照度Ｌ２６で点灯させ、時間経過とともに、再び高照度へ徐々に照度を上げていく。このようにすることで、主光源１５１の照度は、覚醒動作が信号待ち動作に移行したか否かに関わり無く、主光源１５１の点灯開始時刻ｔ２からの経過時間に対して、主光源１５１の照度が決定されるので、主光源１５１の照度を容易に決定することが出来る。そして、予め設定した起床時刻ｔ４に向けて、予め設定した主光源１５１の照度に増大させることができ、操作者によるリモコンの誤操作等に関わらず就寝者を深い睡眠状態から、浅い睡眠状態へと導くことができる。
【００３９】
一方、規定時間ｈが経過する前に（ステップ２０５でＮｏ）、リモコン２０の、光源部１５の光源を点灯・消灯するスイッチ、又は光源の照度を変更（調光）するスイッチ等、なんらかのスイッチが操作者によって操作されると、操作されたスイッチに対応する信号（光源を点灯・消灯、照度の変更（調光）等の情報）が第２信号として、制御部１１にリモコン受信部１２を介して入力される（ステップＳ２０７でＹｅｓ）。時刻ｔ７に、制御部１１に第２信号が入力されたことが検出されると、操作者によるリモコンの意図的な操作等であるとして、制御部１１は、図７に示すように、信号待ち動作を終了させるとともに覚醒動作を終了させ（ステップＳ２０８）、光源部１５を第２信号に従わせるように制御する（ステップＳ２０９）。図７においては、主光源１５１を全灯させる第２信号が入力された場合の動作を示している。
【００４０】
尚、信号待ち動作の規定時間ｈの間に、第２信号が入力されないまま、起床時刻ｔ４となった場合には、起床時刻ｔ４となった時点で、最高照度Ｌ２３に切り替える構成としても、規定時間ｈ経過後、最高照度Ｌ２３に切り替える構成としても良い。
【００４１】
また、図８に示すように、信号待ち動作から覚醒動作に復帰する場合において、時刻ｔ６に、第１信号が入力された時刻ｔ５の照度Ｌ２５と同じ照度で、主光源１５１を再点灯させてもよい。その場合には、起床時刻ｔ４の１分前の時刻ｔ３までに、最高照度となるように、主光源１５１の照度を徐々に上げていくこととする。
【００４２】
このように、覚醒動作中に、リモコン２０の操作によって、なんらかの信号である第１信号が入力されたとしても、制御部１１は、すぐにその第１信号に従う制御を行わず、第１信号を受けてから規定時間ｈ内（信号待ち動作中）に、第２信号が入力された場合にのみ、その第２信号に従う制御を行う。
【００４３】
このため、リモコン２０の操作が、誤操作でなく操作者が意図的に行うものである場合、１度目のリモコン２０の操作の後、再度リモコン２０の操作を行うことで、リモコン２０の操作に従う制御を行わせることが出来る。尚、第１のリモコン２０の操作が行われた後も、補助光源１５２が点灯されるため、照明装置１の設置される空間が真暗となることがなく、操作者は、リモコン２０のスイッチ等を視認することが出来る。
【００４４】
一方、リモコン２０の操作が、操作者の誤操作等である場合、その操作によって、照度が急激に増大することがない。そして、誤操作等を行ってから、規定時間ｈ経過後（信号待ち動作終了後）に、再び覚醒動作に戻るため、誤操作等はキャンセルされることになる。覚醒動作時には、操作者は覚醒途中であるため、リモコン２０の誤操作が生じ易いが、覚醒動作時には、リモコン２０の次の操作が規定時間ｈ以内に続けて行われた場合にのみ、制御部１１は、そのリモコン２０の操作が誤操作でないものとして、そのリモコン２０の操作に従う動作を行わせるようにする。これにより、リモコン２０の誤操作によって、快適な覚醒を阻害する動作を防止することができる。
【００４５】
本実施形態においては、信号待ち動作時に、主光源１５１を消灯して、補助光源１５２を点灯させる構成としたが、信号待ち動作時は、照度が急激に上がらないよう、点灯制御すれば良い。例えば、覚醒動作中に点灯していた主光源１５１の照度を、信号待ち動作開始にともない低下させ、覚醒動作から信号待ち動作に移行したことを認識させるようにしても良い。
【００４６】
なお、第２実施形態においては、光源部１５を主光源１５１と補助光源１５２とで構成し、２つの光源で覚醒動作を行う構成としたが、光源部１５を主光源１５１のみで構成しても良い。すなわち、主光源１５１のみを低照度から高照度へと変化させることで覚醒動作を行い、第１信号が入力された場合に、信号待ち動作に移行させる構成としても良い。
【符号の説明】
【００４７】
１      照明装置
１０    照明装置本体
１１    制御部
１５    光源部
１５１  主光源
１５２  補助光源
２０    リモコン
【図１】
0005457214.tif 000002
【図２】
0005457214.tif 000003
【図３】
0005457214.tif 000004
【図４】
0005457214.tif 000005
【図５】
0005457214.tif 000006
【図６】
0005457214.tif 000007
【図７】
0005457214.tif 000008
【図８】
0005457214.tif 000009